(57)【要約】【課題】主に災害発生時等に被災者等が容易に着用でき特に小さな子供の身元や、徘徊老人等の身元を、確実かつ容易に確認できる身元証明用ゼッケンを提供する。【解決手段】身元証明用ゼッケン１０を、中央領域に頭部が潜り抜け可能となった孔部１１Ａを有する長尺部材で形成されポンチョ風に着用するゼッケン本体１１を備えて構成し、孔部１１Ａを中心にして一方側の長尺部を胸側覆い部１２とすると共に、他方側の長尺部を背中側覆い部１３とし、胸側覆い部１２に身元確認情報が記された身元証明シート１４を設け、ゼッケン本体１１の胸側覆い部１２および背中側覆い部１３のそれぞれの先端部両端部同士間にわたって当該先端部同士を連結しゼッケン本体１１を保持する２本のゼッケン保持体１５を設け、これらの各ゼッケン保持体１５の連結長さを調整自在とした。【選択図】図５
0003206715.tif 000002
【実用新案登録請求の範囲】
【請求項１】
災害発生時等に使用される身元証明用ゼッケンであって、
中央領域部に頭部が潜り抜け可能となった孔部を有する長尺部材で形成されポンチョ風に着用するゼッケン本体を備え、
前記ゼッケン本体を長手方向に二つ折りした状態で着用したとき、前記二つ折り部を基点として一方側の長尺部を胸側覆い部とすると共に他方側の長尺部を背中側覆い部とし、
少なくとも前記胸側覆い部に身元確認情報が記された身元証明シートを設け、
前記ゼッケン本体を着用したとき前記胸側覆い部および背中側覆い部のそれぞれの先端部かつ前記ゼッケン本体の幅方向両端部同士間にわたって当該先端部同士を連結し前記ゼッケン本体を保持する２本のゼッケン保持体を設け、
これらの各ゼッケン保持体の連結長さを調整自在としたことを特徴とする身元証明用ゼッケン。
【請求項２】
請求項１に記載の身元証明用ゼッケンにおいて、
前記各ゼッケン保持体を、一端部が前記背中側覆い部の先端部かつ前記幅方向両端部に固着されると共に他端部が前記胸側覆い部側に延設されたストラップと、これらのストラップの他端部および前記胸側覆い部の先端部かつ前記幅方向両端部に設けられた係止部材とで構成したことを特徴とする身元証明用ゼッケン。
【請求項３】
請求項２に記載の身元証明用ゼッケンにおいて、
前記係止部材を面ファスナーで構成し、前記ストラップの他端部に前記面ファスナーを構成するオス型ファスナーおよびメス型ファスナーのいずれか一方を固着すると共に、前記胸側覆い部の先端部かつ前記幅方向両端部にいずれか他方を固着したことを特徴とする身元証明用ゼッケン。
【請求項４】
請求項１ないし請求項３のいずれか一つに記載の身元証明用ゼッケンにおいて、
前記身元証明シートに記される身元確認情報は、少なくとも、氏名、生年月日、血液型、住所、連絡先電話番号を含むものであることを特徴とする身元証明用ゼッケン。
【請求項５】
請求項１ないし請求項４のいずれか一つに記載の身元証明用ゼッケンにおいて、
前記胸側覆い部の前記身元証明シートの裏面に、ティッシュ等の小物を収容するポケットを設けたことを特徴とする身元証明用ゼッケン。
【請求項６】
請求項５に記載の身元証明用ゼッケンにおいて、
前記ポケットを前記胸側覆い部の幅方向を二分割して形成された２つのポケット部で構成し、それぞれのポケット部の出し入れ口を前記ゼッケン本体の幅方向の両端部側に設けたことを特徴とする身元証明用ゼッケン。
【請求項７】
請求項１ないし請求項６のいずれか一つに記載の身元証明用ゼッケンにおいて、
前記ゼッケン本体および前記身元証明シートを蛍光色のナイロンで形成したことを特徴とする身元証明用ゼッケン。
【請求項８】
請求項１ないし請求項６のいずれか一つに記載の身元証明用ゼッケンの前記ゼッケン本体を、前記胸側覆い部および背中側覆い部を重ね合わせた状態で前記孔部側から前記胸側覆い部および背中側覆い部の先端側に向かって複数回折り曲げた後、その折り曲げ向と直交する方向に二つ折りした状態とすると共に、その二つ折り部分を先端にして、予め形成された身元証明用ゼッケン用のゼッケン収容袋に収容されることを特徴とする身元証明用ゼッケン。
【請求項９】
災害発生時等に使用される身元証明用ゼッケンであって、
身元確認情報が記された身元証明シートと、
この身元証明シートを内部に封入してラミネート加工するラミネートフィルムと、
このラミネートフィルムの上部の両角部に形成された孔部に取付けられると共に被災者の首に掛けられるストラップと、を備えて構成し、
前記ストラップの長さを調整自在としたことを特徴とする身元証明用ゼッケン。
【請求項１０】
請求項９に記載の身元証明用ゼッケンにおいて、
前記身元証明シートに記される身元確認情報は、少なくとも、氏名、生年月日、血液型、住所、連絡先電話番号を含むものであることを特徴とする身元証明用ゼッケン。
【考案の詳細な説明】
【技術分野】
【０００１】
本考案は身元証明用ゼッケンに係り、さらに詳しくは、災害時等に着用することで、被災者が特に児童の場合等にその児童の身元を確認することが容易となる身元証明用ゼッケンに関する。
【背景技術】
【０００２】
衣服の上から着用することで、その個人の情報を確認することができるものとして、各種のゼッケンが用いられている。
例えば、電気工事の現場等で作業者が着用するゼッケンが知られている（特許文献１参照）。
この特許文献１のゼッケンは、電気工事の現場では作業の危険性や特異性が高いため、電気工事者間で作業者の熟練度や精度の向上を図る観点から、作業者の実技試験が頻繁に行われており、その際に、審査官が複数の作業者の担当を識別できるように工夫されたものである。
【０００３】
また、スキー教室等で用いられるもので、簡単に着用可能で、製作納期の大幅な短縮と省力化を図ったゼッケンが知られている（特許文献２参照）。
この特許文献２のゼッケンは、背番号等が印刷された２枚のゼッケン本体を、それぞれのゼッケン本体の四隅にあけられている穴に、２枚のゼッケン本体にわたって４本の紐で連結する構成となっている。このうち、２本の紐は２枚のゼッケン本体の上部の穴に掛けわたして肩掛けとし、残りの２本の紐は２枚のゼッケン本体の下部の穴に掛けわたして腰部に保持されるようになっている。
【先行技術文献】
【特許文献】
【０００４】
【特許文献１】特開２００９−２５６８４０号公報
【特許文献２】実開平５−２９０８０号公報
【考案の概要】
【考案が解決しようとする課題】
【０００５】
しかし、前記特許文献１のゼッケンでは、収容部内に入れ替え可能に収容される表示シートが作業担当者ごとの表示となっており、当事者が適宜取り替えなければならない。そのため、うっかりして取り替えないまま作業に臨んだりすることもあり、実技試験の目的にそぐわないおそれがある。
また、特許文献１のゼッケンで使用される作業シートは、作業担当者ごとの表示であり、その担当者の身元まで表示されるものではない。
【０００６】
前記特許文献２のゼッケンでは、２枚のゼッケン本体のそれぞれの四隅を肩掛け用と、腰回り用との紐で連結することになっているので、取付けが面倒である。
また、特許文献２のゼッケンで使用されるゼッケン本体には、番号等が印刷されているのみであり、そのゼッケンを着用した者の身元まで表示されるものではない。
【０００７】
ところで、例えば地震等の大きな災害が発生した場合、多くの避難者が同じ避難区域に集まることになる。そうすると、小さな子供連れで避難したときなど、ちょっと目を離したすきにその子供とはぐれてしまうおそれがある。
また、行楽地や各種のイベント会場等、多くの人が集まる場所に小さな子供連れで出かけたときも、上記と同様に、ちょっと目を離したすきにその子供とはぐれてしまうおそれがある。
そのような状況では、小さな子供は自分では何もできないことが多く、周りの親切な大人が保護するしかない。しかし、その子供のことについて何も手掛かりがないと、保護も困難である。
さらに、最近では、認知症が進み徘徊する老人や、認知症のために行方不明となる者が年々増加する傾向にあり、大きな社会問題となっている。
【０００８】
ところが、個人の情報を確認するために用いられている前記特許文献１，２のゼッケンでは、身元確認情報までは表示されていない。そして、そのようなゼッケンを、災害時あるいは行楽地で着用しても被災者の身元が確認できるわけではなく、特に、小さな子供や徘徊老人等に着用させても何ら意味がない。
そのため、災害発生時等に着用できて、特に小さな子供や徘徊老人等の身元を容易に確認できるゼッケンや着衣の開発が望まれている。
【０００９】
本考案は、上記問題を解決するために提案されたもので、災害発生時等に被災者等が容易に着用でき、特に小さな子供の身元や、徘徊老人等の身元を、確実かつ容易に確認できる身元証明用ゼッケンを提供することを目的とする。
【課題を解決するための手段】
【００１０】
本考案に係る身元証明用ゼッケンは、上記各問題点を解決するために提案されたものである。具体的には、
災害発生時等に使用される身元証明用ゼッケンであって、
中央領域に頭部が潜り抜け可能となった孔部を有する長尺部材で形成されポンチョ風に着用するゼッケン本体を備え、
前記ゼッケン本体を人体に着用したとき前記孔部を中心にして一方側の長尺部を胸側覆い部とすると共に、他方側の長尺部を背中側覆い部とし、
少なくとも前記胸側覆い部に身元確認情報が記された身元証明シートを設け、
前記ゼッケン本体を人体に着用したとき前記胸側覆い部および背中側覆い部のそれぞれの先端部両端部同士間にわたって当該先端部同士を連結し前記ゼッケン本体を保持する２本のゼッケン保持体を設け、
これらの各ゼッケン保持体の連結長さを調整自在としたことを特徴とする。
なお、上記において、災害発生時等には、老人等が徘徊する行動も含むものとする。
【考案の効果】
【００１１】
本考案に係る身元証明用ゼッケンは、以上のように構成されており、災害発生時等にゼッケン本体の孔部に頭を潜らせるだけでポンチョ風に着用することができるので、着用が極めて容易であり、小さな子供でも容易に着用することができる。
また、ゼッケン本体の胸側覆い部に身元証明シートが設けられており、この身元証明シートには身元確認情報が記されているので、その身元確認情報を見ることでゼッケンを着用している者、特に小さな子供や徘徊老人等の身元を容易に確認できる。その結果、その者の保護に結び付けることができる。
さらに、ゼッケン本体を人体に着用したときゼッケン保持体の連結長さを調整できるので、着用する者の体格に対応でき、かつゼッケンが人体から剥がれたりすることを防止することができる。
【図面の簡単な説明】
【００１２】
【図１】本考案に係る身元証明用ゼッケンの第１実施形態を示す展開斜視図である。
【図２】図１に開示した身元証明用ゼッケンを示す全体斜視図である。
【図３】図２におけるIII−III線に沿った縦断面図である。
【図４】図３におけるIV−IV線に沿った縦断面図を示し、図４（Ａ）はポケット２０の出し入れ口が開いた状態、図４（Ｂ）はポケット２０の出し入れ口が閉じられた状態を示す縦断面図である。
【図５】図１に開示した身元証明用ゼッケンを着用した状態を示す正面図である。
【図６】図６（Ａ）は図２に開示した身元証明用ゼッケンのゼッケン本体をその長手方向に四つ折りにする前の状態、図６（Ｂ）は四つ折りにした状態、図６（Ｃ）は図６（Ｂ）の状態から四つ折りの方向と直交する方向に二つ折りにした状態をそれぞれ表す正面図である。
【図７】図７（Ａ）は図６（Ｃ）の状態の身元証明用ゼッケンを予め準備しておいたゼッケン収容袋に収容する途中の状態を示す斜視図、図７（Ｂ）はゼッケン収容袋内に完全に収容した状態を示す斜視図、図７（Ｃ）は例えば徘徊老人用の身元証明用ゼッケンをゼッケン収容袋内に完全に収容した状態を示す斜視図である。
【図８】本考案に係る身元証明用ゼッケンの第２実施形態を示す正面図である。
【図９】図８に開示した身元証明用ゼッケンを着用した状態を示す正面図である。
【考案を実施するための形態】
【００１３】
以下に、図１〜６に基づいて本考案の身元証明用ゼッケンの一実施形態を説明する。
図１，２には、本考案の身元証明用ゼッケン（以下、単にゼッケンという）１０の全体が示されている。また、図３には、胸側覆い部１２の裏面部および当該胸側覆い部１２の裏面部に設けられたポケット２０が示され、図４にはポケット２０の側断面が示されている。
【００１４】
ゼッケン１０は、震災発生時等に使用されることで役に立つものであって、図１，２に示すように、上記胸側覆い部１２の表面に身元証明シート１４が張付けられたゼッケン本体１１を備え、このゼッケン本体１１は、幅方向に対して長さ方向が長い長尺部材で形成されている。
【００１５】
ゼッケン本体１１は、目立つ色、例えば、黄色や赤色、緑色等の蛍光色のナイロンで形成されており、実施形態では、図３に示すように、幅寸法Ｗ（肩幅に相当する部分）が、例えば２８〜３２ｃｍで、長さ寸法Ｌ（首下から腹部および首下から腰部までの寸法）が、例えば４０〜５０ｃｍの長尺状に形成されている。
つまり、実施形態のゼッケン本体１１は幼稚園児、保育園児、小学校低学年の児童等が着用できるような大きさに形成されている。
なお、ゼッケン本体１１の大きさは、上記数値に限定されない。また、ゼッケン本体１１はビニールで形成してもよい。
さらに、児童の体格も個人差があるので、ゼッケン本体１１の大きさを、幅寸法Ｗおよび長さ寸法Ｌを、異なる数値の例えば３種類のものを準備し、Ｓ，Ｍ，Ｌの３通りほどのものを揃えておくと好適である。
【００１６】
ゼッケン本体１１の長さ方向の略中央領域には、ゼッケン１０を着用する人の頭部が潜り抜ける大きさの孔部１１Ａが形成されている。そのため、ゼッケン本体１１を、孔部１１Ａに頭部を潜りこませるだけで着用することができる。つまり、いわゆるポンチョ風に着用することができるので、児童でも容易に着用することができる。
【００１７】
図１に示すように、孔部１１Ａは、頭囲が例えば５４ｃｍの頭部が潜り抜けることができるような大きさ、例えば５５〜５６ｃｍの外周に形成されている。
ここで、幅寸法Ｗ（肩幅に相当）が２８ｃｍのゼッケン本体１１に、外周５５ｃｍの孔部１１Ａを形成した場合、その孔部１１Ａの直径寸法ｌは１７．５ｃｍとなる。
【００１８】
その結果、幅寸法Ｗが２８ｃｍのゼッケン本体１１に直径寸法が１７．５ｃｍの孔部１１Ａが形成されているので、ゼッケン本体１１の幅寸法Ｗと孔部１１Ａの直径寸法との差が、２８ｃｍ−１７．５ｃｍ＝１０．５ｃｍとなる。
そして、この１０．５ｃｍは、両肩に掛かる部分なので、その半分の５．２５ｃｍが片側の鎖骨に引っ掛かることになるが、これだけの寸法を維持できているので、ゼッケン本体１１が簡単に破れたりすることはない。
なお、上記寸法のゼッケン本体１１は、以下に述べる６歳児が着用できるように形成されたものである。
【００１９】
ここで、本実施形態のゼッケン１０に関連する身体の各部分の寸法を、特に、４，６，８歳児について説明する。
肩幅（前記幅寸法Ｗ）の平均数値は、４歳児が２６ｃｍ、６歳児が２８ｃｍ、８歳児が３１ｃｍとされている。なお、この段階では男女の差はほとんどない。
頭囲の平均数値は、４歳児が５３ｃｍ、６歳児が５４ｃｍ、８歳児が５５ｃｍとされている。なお、この段階では男女の差はほとんどない。
身長の平均数値は、４歳児が１０２ｃｍ、６歳児が１１４ｃｍ、８歳児が男子で１２７ｃｍ、女子で１２６ｃｍとされている。  
上記各数値は、服飾等における採寸のための参考資料に基づいている。
【００２０】
図５に示すように、ゼッケン本体１１の長さ方向の中央部の前記折目１１Ｂを中心に二つ折りしてゼッケン本体１１をポンチョ風に着用したとき、上記折目１１Ｂを中心にして一方側の長尺部が胸側覆い部１２とされると共に、他方側の長尺部が背中側覆い部１３とされている。
【００２１】
前述のように、ゼッケン本体１１を構成する胸側覆い部１２の表面には、身元証明シート１４が張付けられている。
この身元証明シート１４は、例えば、布部材で構成されており、ゼッケン本体１１の表面に接着または縫付けにより取付けられている。なお、身元証明シート１４を、ゼッケン本体１１と同様の蛍光色のナイロンまたはビニールで形成してもよく、あるいは写真プリントを貼り付けるようにしてもよい。
身元証明シート１４に記される身元確認情報は、少なくとも、氏名、生年月日、血液型、住所、連絡先電話番号、例えば親のメールアドレス等が記される。そして、これらの身元確認情報は、ゼッケン本体１１および身元証明シート１４の蛍光色に負けないように、例えば、黒色あるいは濃紺色で印刷、または印字されている。
【００２２】
図２〜４に示すように、胸側覆い部１２の表面に張付けられた身元証明シート１４の裏面にはポケット２０が設けられている。このポケット２０には、ティッシュ、ハンカチ、マスク、バンドエイド等の小物、持病を抱えている子供等、場合によっては薬手帳等を収容することができる。
【００２３】
ポケット２０は、胸側覆い部１２の幅方向を仕切り部２０Ｄにより二分割して形成された２つのポケット部２０Ａ，２０Ｂで構成されており、各ポケット部２０Ａ，２０Ｂは所定の厚さ寸法の袋状に形成されている。
また、それぞれのポケット部２０Ａ，２０Ｂの出し入れ口２０Ｃ，２０Ｃが胸側覆い部１２の幅方向の両端部側に設けられている。
【００２４】
図３に詳細を示すように、各ポケット部２０Ａ，２０Ｂは、それぞれの出し入れ口２０Ｃ，２０Ｃから上記仕切り部２０Ｄ側に向かって下部側が傾斜した形状、例えば幅広の略ホームベース状に形成されている。そのため、各ポケット部２０Ａ，２０Ｂの内部から収納物が飛び出しにくい形状となっている。
各ポケット部２０Ａ，２０Ｂの出し入れ口２０Ｃ，２０Ｃには、図４（Ａ），（Ｂ）に示すように、各ポケット部２０Ａ，２０Ｂの内部から収容物が飛び出さないように係止部材２１が設けられている。
【００２５】
この係止部材２１は、図４に詳細を示すように、各出し入れ口２０Ｃ，２０Ｃの対向する内側面に設けられた面ファスナーＭで構成されており、対向する内側面のいずれか一方の面、例えばポケット部２０Ａ，２０Ｂの胸側覆い部１２側の内面に面ファスナーＭを構成する例えばオス型ファスナーＭＡが設けられ、いずれか他方の面、例えばポケット部２０Ａ，２０Ｂの背中側覆い部１３側の内面にオス型ファスナーＭＡに対応するメス型ファスナーＭＢが設けられている。
そして、これらのオス型ファスナーＭＡとメス型ファスナーＭＢとを係合させることにより、各ポケット部２０Ａ，２０Ｂに収容されているハンカチ等が飛び出さないようになっている。
【００２６】
胸側覆い部１２および背中側覆い部１３のそれぞれの先端部かつ幅方向両端部には、ゼッケン本体１１を人体に着用したとき、そのゼッケン本体１１が人体から剥がれないように２本のゼッケン保持体１５，１５が設けられている。
すなわち、ゼッケン保持体１５，１５は、それぞれの一端部が背中側覆い部１３の先端部かつ幅方向両端部に固着されると共に他端部が胸側覆い部１２側に延びた紐状部材１６，１６と、これらの紐状部材１６，１６の先端と胸側覆い部１２の先端部かつ幅方向両端部とに設けられた係止部材１７，１７とで構成されている。
【００２７】
これらの係止部材１７，１７は面ファスナーＭで構成されており、紐状部材１６，１６の他端部先端には、上記面ファスナーＭを構成する、例えばオス型ファスナーＭＡが設けられ、胸側覆い部１２の先端部には上記オス型ファスナーＭＡと係合するメス型ファスナーＭＢが設けられている。
【００２８】
紐状部材１６の他端部先端に設けられたオス型ファスナーＭＡは、例えば先端側から全体の１/４程度の長さにわたって形成されている。そのため、その範囲内でオス型ファスナーＭＡのどこでも使用して、メス型ファスナーＭＢと係合させることができる。
すなわち、着用する人の体格に応じて着用位置を調整することができる。
【００２９】
前記ゼッケン１０を着用するには、図５に示すように、まず、下着シャツ５０の上から、ゼッケン本体１１の孔部１１Ａに首を突っ込んでポンチョ風に着用する。
次いで、２本のゼッケン保持体１５，１５の紐状部材１６，１６の長さを調整して、ゼッケン本体１１が人体から外れないようにする。
なお、身元証明シート１４が表面から見えないように、ゼッケン本体１１を裏返しにして着用することもできる。この場合、ポケット２０が前面に現れることになる。
また、背中側覆い部１３を頭に被り、フードとして使用することもできる。この場合、紐状部材１６，１６の先端側を首側に回し顎の部分で結ぶ等して留めることができる。
【００３０】
以上のような構成のゼッケン１０は、図６（Ａ），（Ｂ），（Ｃ）に示すように、着用しないときは、小さく折り畳んだ状態でランドセル等に収容することができるようになっている。
すなわち、図６（Ａ）に示すように、ゼッケン本体１１の胸側覆い部１２と背中側覆い部１３とを二つ折りに折り畳んだ状態から、胸側覆い部１２側に折線Ａ１，Ａ２，Ａ３に沿って順次折り曲げ、図６（Ｂ）に示すように、例えば四つ折状態に折り畳む。
最後に、図６（Ｃ）に示すように、四つ折した状態からその方向と直交する方向に折線Ａ４に沿って二つ折りして小さくする。このようにすることで、例えば、ランドセル等に容易に、かつ、きちんとした状態で収容することができる。
【００３１】
また、紐状部材１６を胸側覆い部１２と背中側覆い部１３の下端部に取り付けた状態で、上述のように最終的に二つ折りしたとき、２本の紐状部材１６がストラップ状になっているので、それらの紐状部材１６をランドセル等の引掛け金具に吊るしておくこともできる。
ここで、ゼッケン本体１１を折り畳みやすいように、ゼッケン本体１１の折線Ａ１，Ａ２，Ａ３の四つ折部、および折線Ａ４に、目立たない色で、例えばミシン目状の印を記しておいてもよい。
【００３２】
上述のように、小さく折り畳んだゼッケン１０は、例えば、ランドセル等に容易に収容することができるが、図７（Ａ），（Ｂ），（Ｃ）に示すように、予め形成されたゼッケン１０専用の携帯用袋３０に収容することもできる。
【００３３】
上記携帯用袋３０は、児童が喜んで手にするきれいな色の例えば布部材で形成されており、図７（Ｂ）に示すように、小さく折り畳んだゼッケン１０をすっぽりと収容できる大きさに形成されている。
そして、携帯用袋３０の出入り口にはその出入り口を開閉自在とするストラップ３６が設けられており、また、ストラップ３６の出入り口側には閉めた状態を維持し、巾着状の袋とすることができる留め具３７が設けられている。
携帯用袋３０の少なくとも一方の表面には、児童が喜ぶような漫画やゲームキャラクタ、例えばクマさんの顔等を描いておくと好適である。
【００３４】
携帯用袋３０のストラップ３６をある程度長く形成し、留め具３７で絞り込み携帯用袋３０を巾着袋状態とすることで、常時、首から下げておくことができる。また、ランドセル等の吊り具等にもぶら下げておくことができる。
【００３５】
以上のような本第１実施形態のゼッケン１０によれば、次のような効果が得られる。
（１）災害発生時等にゼッケン本体１１の孔部１１Ａに頭を潜らせるだけでポンチョ風に着用することができるので、着用が極めて容易であり、小さな子供でも容易に着用することができる。
【００３６】
（２）ゼッケン本体１１の胸側覆い部１２に身元証明シート１４が設けられており、この身元証明シート１４には身元確認情報が記されているので、その身元確認情報を見ることでゼッケン１０を着用している者の身元を確認することができ、その結果、その者の保護に結び付けることができる。
【００３７】
（３）ゼッケン本体１１を人体に着用したときゼッケン保持体１５の連結長さを調整できるので、着用する者の体格に対応でき、かつゼッケン１０が人体から剥がれたりすることを防止することができる。
【００３８】
（４）ゼッケン本体１１は、目立つ色、例えば、黄色や赤色、緑色等の蛍光色のナイロンで形成されているので、人の目につきやすく、身元確認が容易となる。
【００３９】
（５）ゼッケン本体１１はナイロンで形成されているので、着用する時期が冬季であった場合、下着シャツの上から着用することで防寒に役立つ。
【００４０】
（６）紐状部材１６の他端部先端に設けられたオス型ファスナーＭＡは、先端側から全体の１/４程度の長さ寸法に形成されており、その範囲内でオス型ファスナーＭＡのどこでも使用して、メス型ファスナーＭＢと係合させることができる。その結果、着用する人の体格に応じて着用位置を調整することができる。
【００４１】
（７）ポケット２０は、袋状の２つのポケット部２０Ａ，２０Ｂで構成されており、これらは略ホームベース状に形成され形状に形成されているので、収納物が飛び出しにくい形状となっている。その結果、災害時に必要な、ティッシュ、ハンカチ、マスク、バンドエイド、持病を抱えている子供等、場合によっては薬手帳等を収容することができる。また、ポケット部２０Ａ，２０Ｂに笛等も収容しておくことができ、この場合、より安全、安心である。
【００４２】
（８）さらに、各ポケット部２０Ａ，２０Ｂの出し入れ口２０Ｃ，２０Ｃにそれぞれ係止部材２１が設けられており、これらの係止部材２１がオス型ファスナーＭＡとメス型ファスナーＭＢからなる一対の面ファスナーＭで構成されているので、両ファスナーＭＡ，ＭＢを係合させるだけで、各ポケット部２０Ａ，２０Ｂの内部から収容物が飛び出さないようにすることができる。
【００４３】
（９）ゼッケン１０は、使用（着用）しないときは小さく折り畳むことができ、折り畳んだとき、紐状部材１６をストラップ状に使うことができるので、紐状部材１６を手でぶら下げることもでき、また、例えば、ランドセル等に容易に収容することができる。その結果、防災、震災用に常備でき、さらに通学時に常備できる。
また、折り畳んだゼッケン１０を、例えば、親と一緒に旅行や登山に行くなど、レジャーの際等に、リュック等に入れておくこともできる。
【００４４】
次に、図８，９に基づいて、本考案の身元証明用ゼッケンの第２実施形態を説明する。
前記第１実施形態の身元証明用ゼッケン１０が、ポンチョ風に着用するゼッケン本体１１に身元証明シート１４を貼付けたものであったが、本第２実施形態の身元証明用ゼッケン（以下、単にゼッケンと言う）４０は、ゼッケン本体４１を首に掛けて使用するように構成したものである。
【００４５】
すなわち、図８に示すように、ゼッケン４０は、身元情報が記された身元証明シート４４と、この身元証明シート４４を内部に収容して一体的にラミネート加工するラミネートフィルム４２からなるゼッケン本体４１と、両者４４，４２の上部両端部に設けられたハトメ４１Ａに挿通されるストラップ４５と、を備えて構成されている。
【００４６】
身元証明シート４４は、黄色等の目立つ色の紙、または布部材で形成されており、その表面に、前記第１実施形態の身元証明シート１４と同様に、少なくとも、氏名、生年月日、血液型、住所、連絡先電話番号、例えば親のメールアドレス等の身元確認情報が記されている。そして、これらの身元確認情報は、例えば、黒色あるいは濃紺色で印刷または印字されている。
【００４７】
上記ラミネートフィルム４２は、身元証明シート４４の全周を覆ってラミネート加工されており、その四隅は、指等が当たっても危なくないように、Ｒ加工（丸み加工）されている。
また、ラミネートフィルム４２と身元証明シート４４の上部、かつ両端部には、上述のようにハトメ４１Ａ，４１Ａが設けられ、これらのハトメ４１Ａ，４１Ａにストラップ４５を構成する２本の紐部材４５Ａ，４５Ａがそれぞれ挿通されている。
各紐部材４５Ａ，４５Ａの一端部はコブ状に丸められ、ハトメ４１Ａ，４１Ａから抜けないようになっており、他端部は適宜な長さの部分で結ばれるようになっている。つまり、他端部は、ストラップ４５の長さ調整自在な調整部４５Ａとなっている。
【００４８】
そして、図９に示すように、ゼッケン４０を子供の首に掛けておくことで、その子供の身元確認情報を確認することができる。
【００４９】
以上のような第２実施形態のゼッケン４０によれば、前記（２）、（４）と略同様の効果の他、次のような効果を得ることができる。
（１０）ゼッケン４０が、身元証明シート４４を備えたゼッケン本体４１と、長さ調整自在なストラップ４５とで構成されているので、ストラップ４５を首に掛けるだけで済み、着用が容易であり、小さな子供でも容易に着用することができる。
【００５０】
（１１）ゼッケン本体４１が、身元証明シート４４の全周を覆ってラミネートフィルム４２によるラミネート加工されているので、丈夫で雨等にも強く、耐久性を維持できる。
【００５１】
以上、前記各実施形態を参照して本考案を説明したが、本考案は前記各実施形態に限定されるものではない。本考案の構成や詳細については、当業者が理解し得るさまざまな変更を加えることができる。また、本考案には、前記各実施形態の構成の一部又は全部を相互に適宜組み合わせたものも含まれる。
【００５２】
例えば、前記実施形態では、ゼッケン１０は、特に幼児、低学年の児童が着用するものとして考案されていたが、これに限らない。例えば徘徊する老人の問題も大きな社会問題となっており、そのような老人向けの向けのゼッケン１０Ａ（図７（Ｃ）参照）とすればよい。
この場合、前記ゼッケン本体１１の大きさを大人向けの大きさのゼッケン本体に形成すればよい。そして、ゼッケン１０Ａを構成するゼッケン本体に前記ポケット２０と同様のポケットを設け、そのポケットの内部に、前記ポケット２０と同様に、ティッシュ、ハンカチ、マスク、バンドエイド等の小物、薬手帳、パスポート、保険証のカード等を収容できるように構成されている。
また、そのゼッケン１０Ａを収容する専用の携帯用袋３０Ａ（図７（Ｃ）参照）も、前記携帯用袋３０より大きめに作成し、また、携帯用袋３０Ａの表面に、例えば白髪を生やした老人の顔を描いておくとよい。
【００５３】
例えば、前記第１実施形態では、ゼッケン本体１１を目立つ色、例えば、黄色や赤色、緑色等の蛍光色のナイロンで形成したが、これに限らない。ビニールで形成してもよく、また木綿等の布地で形成してもよい。
【００５４】
また、前記第１実施形態では、ゼッケン１０を、胸側覆い部１２の表面に身元証明シート１４を張付けて構成したが、これに限らず、胸側覆い部１２の他に背中側覆い部１３にも身元証明シート１４を張付けてもよい。あるいは、身元証明シート１４を背中側覆い部１３にのみ張付けてもよい。
【００５５】
さらに、前記第２実施形態では、ゼッケン４０を構成するゼッケン本体４１を首に下げて使用するストラップ４５を２本の紐部材４５Ａ，４５Ａで構成し、それぞれの端部を長さ調整自在な調整部４５Ａとしたが、これに限らない。紐部材４５Ａ，４５Ａの各端部に、最初に、前記携帯用袋３０用のストラップ３６に設けられている留め具３７と同様の留め具を通した後、両端部を強固に結んだ構成としてもよい。
このようにすれば、ストラップ４５を首に下げた後、着用する人の体格に合わせて、留め具の位置を調整すればよいので、より簡単にゼッケン４０を着用することができる。
【産業上の利用可能性】
【００５６】
本考案のゼッケンは、例えば、主に、地震等の災害発生時に利用することができる。
【符号の説明】
【００５７】
１０  身元証明用ゼッケン（第１実施形態）
１１  ゼッケン本体
１２  胸側覆い部
１３  背中側覆い部
１４  身元証明シート
１５  ゼッケン保持体
１６  紐状部材
１７  係止部材
２０  ポケット
２０Ａ  ポケット部
２０Ｂ  ポケット部
２０Ｃ  仕切り部
３０  携帯用袋
３６  ストラップ
４０  身元証明用ゼッケン（第２実施形態）
４１  ゼッケン本体
４２  ラミネートフィルム
４４  身元証明シート
４５  ストラップ
【図１】
0003206715.tif 000003
【図２】
0003206715.tif 000004
【図３】
0003206715.tif 000005
【図４】
0003206715.tif 000006
【図５】
0003206715.tif 000007
【図６】
0003206715.tif 000008
【図７】
0003206715.tif 000009
【図８】
0003206715.tif 000010
【図９】
0003206715.tif 000011